(57)【要約】      （修正有）【課題】施術を簡単かつ容易にでき、安全度を高めた頭蓋腔用カテーテル装置を提供する。【解決手段】頭蓋腔用カテーテル装置は、血腫や脳脊髄液を含む体液を外部に排出させるための排出管１４が中央に形成され、その排出管の前端部には複数の排出孔が形成され、その排出管の外側所定部で薬物移送管１８が形成され、薬物移送管の後端部は、栓部材３４で閉鎖され、脳室にカテーテルを設置した後、所定部にプラスチック管４８を刺して薬物を注入できるカテーテル３０と；プラスチック管に延長チューブ６０を結合させた状態で、そのプラスチック管と延長チューブが離脱しないように掴む結束部材６２で構成される。【選択図】図４
2017000738.tif 000002
【特許請求の範囲】
【請求項１】
血腫や脳脊髄液を含む体液を外部に排出させるための排出管（１４）が中央に形成されていて、その排出管（１４）の前端部には複数の排出孔（１６）が形成されていて、その排出管（１４）の外側所定部で薬物移送管（１８）が形成されていて、薬物移送管（１８）の後端部は、栓部材（３４）で閉鎖されていて脳室（９）にカテーテルを設置した後所定部にプラスチック管（４８）を刺して薬物を注入することができるようになったカテーテル（３０）と；前記プラスチック管（４８）に延長チューブ（６０）を結合させた状態で、そのプラスチック管（４８）と延長チューブ（６０）が離脱しないように掴む結束部材（６２）で構成されたことを特徴とする、頭蓋腔用カテーテル装置。
【請求項２】
前記薬物移送管（１８）は、その後端側所定部にプラスチック管（４８）が挿入可能な孔が穿孔されていて、その孔を臨時閉鎖用パッキング（３２）が凹入されて臨時的に閉鎖することになることを特徴とする、請求項１に記載の頭蓋腔用カテーテル装置。
【請求項３】
前記プラスチック管（４８）は、前記薬物移送管（１８）の連結部で緩やかに折り曲げられることができる合成樹脂材質の管であり、折れるのを防止するためにシリコンチューブで重ねて被せられて、反対側端にはルアーコネクター（６１）と、スワバブルバルブ（Ｓｗａｂａｂｌｅ  Ｖａｌｖｅ）やヘパリンキャップ（Ｈｅｐａｒｉｎｅ  ｃａｐ）が装着されることを特徴とする、請求項１に記載の頭蓋腔用カテーテル装置。
【請求項４】
前記結束部材（６２）は、第１、２本体（６２ａ、６２ｂ）が互いに向かい合う状態でヒンジを中心に回転されて締結されたりまたは分離する構造を持って、前記第２本体（６２ｂ）は、第１本体（６２ａ）に対するカバーの役割を果たすので平面パネルで構成されて、前記第１本体（６２ａ）は内部に、前記カテーテル（３０）が通過する第１挿入孔（７０）が本体の上面から下面を貫いて形成されて、前記プラスチック管（４８）と延長チューブ（６０）が挿入される第２挿入孔（７２）が形成されて、前記第１、２挿入孔（７０、７２）は、前記カテーテル（３０）と前記プラスチック管（４８）が各々通過する孔であることを特徴とする、請求項１に記載の頭蓋腔用カテーテル装置。
【請求項５】
前記第１、２本体（６２ａ、６２ｂ）を互いに結束させるために、一面にちょうつがいが構成されて、そのちょうつがいが形成された反対面には係止具からなるロック手段（６６）がさらに構成されたことを特徴とする、請求項４に記載の頭蓋腔用カテーテル装置。
【発明の詳細な説明】
【技術分野】
【０００１】
本発明は、頭蓋腔用カテーテル装置に関し、より詳細には薬物と体液を互いに異なる経路を介して移送させる従来カテーテル構造の長所をそのまま発揮しながら、カテーテルの外径を一定にしてカテーテルの端部を脳室に正確に位置させるのに有用な脳正位機器を使用し易くすると共に、頭蓋骨と皮膚との間の迂回空間でカテーテルの後端部のトンネリングが容易になることによって施術を簡便かつ容易にできるようにして施術安全度を大きく高めた頭蓋腔用カテーテル装置に関する。
【背景技術】
【０００２】
周知のように、脳室内の血腫治療は、神経外科的な手術である開頭術を介して原因治療とともに直接血腫を除去したが、近年は発達したコンピュータを利用した脳断層撮影術または脳磁気共鳴術を利用して直接カテーテルを入れたり、または、脳正位機器を利用してより安全かつ正確に位置した後、血腫を除去したり脳脊髄液を排出させる手術が普遍化されている。
【０００３】
この手術は、局所麻酔下に短時間内に行えるので、全身麻酔が難しい患者に好適である。例えば、脳実質内出血の場合、脳断層撮影によって脳室内血腫の正確な位置を測定して頭蓋骨穿孔後、直接または脳正位機器を使用して脳室内にカテーテルを挿入して、これを介して血腫を頭蓋腔外へ排出させる。この場合、血腫の成熟（固形性または液性）程度により排出される様子が異なって、一度に全血腫を除去するよりは徐々に少量ずつ排出させなければならないので、カテーテルを一定期間（２日〜３週または、それ以上）頭部に固定させて、残余血腫を徐々にカテーテルを介して外へ排出させることになる。
【０００４】
特に、固形性血腫の場合にはカテーテルを介してウロキナーゼのような血腫溶解剤を注入して血腫を溶解させて排出し易くして排出させる。
【０００５】
しかし、このような従来のカテーテル装置は、単一流体通路である一つの排出管を有する形態であるため、血腫溶解剤や抗生剤または生理食塩水を注入する必要がある場合、カテーテル内にすでに満たされる相当量の血腫や脳脊髄液などの体液を再度脳内に流入させなければならず、カテーテル内部容積だけの生理食塩水を追加で注入しなければならないので、これによる脳圧上昇を誘発するだけでなく、反復注入による感染の危険があって、操作がわずらわしい短所があった。
【０００６】
従って、このような問題点を解決するために、図２に図示したようなカテーテル１２が開発された。図２は、特許登録０１７８１１３号である。
【０００７】
より詳細には、図１に示したように、脳室９内の血腫や脳脊髄液を含む体液を排出させて治療するために、脳室９の垂直上方の頭蓋骨６を正確に測定してＡラインに沿って穿孔する。
【０００８】
頭蓋腔は、脳４を含む頭蓋骨６内部の空間を称しており、Ａラインに沿って穿孔した後、特許登録０１７８１１３号に提示されたカテーテル１２を穿孔ホール内部に凹入して端部が前記患部１０、すなわち、脳室９に位置されるようにする。
【０００９】
この場合、前記カテーテル１２の他端部は、感染防止のために直上方に他端部が形成されるように位置させることができず、図１に示したように折り曲げられるようにカテーテル１２を位置させなければならないので、他端部に穿刺針を連結して皮膚２と頭蓋骨６上部との間を穿孔してできる迂回空間８を介して他端部を折り曲げ及び通過させて、さらに他の皮膚２の穿孔部を介して外部に流出させる。このような技法を皮下組織トンネリングという。
【００１０】
すなわち、脳室９に対して穿孔された直上方にカテーテル１２が露出されるのではなく、前記迂回空間８を介して折り曲げられた位置にカテーテル１２の端部が露出されるようになる。
【００１１】
好ましくは、露出されたカテーテル１２は、別途の固定具１７によって固定されるが、その固定具１７は、本体２３に形成された貫通孔２１をカテーテル１２が通過して、その本体２３は、固定孔２５を通過する別途の固定手段を介して頭蓋骨や皮膚に固定されるようになる。
【００１２】
前記カテーテル１２は、血腫や脳脊髄液を含む体液を外部に排出させるための排出管１４が中央に形成されていて、そのいずれか一外側所定部に薬物移送管１８が形成されている。
【００１３】
前記薬物移送管１８は、端部所定部が切開されて薬物注入管２２と連結されていて、連結部材２４により前記薬物移送管１８と薬物注入管２２が堅実に密着連結されている。
【００１４】
従って、患部１０で排出孔１６を介して流入した血腫や脳脊髄液を含む体液は、排出管１４を介して外部に排出されて、前記薬物注入管２２に注射器（図示せず）を結合して血腫溶解剤や抗生剤または生理食塩水を注入すると、薬物注入管２２と薬物移送管１８を介して薬物排出孔２０に排出されて患部１０に流入される。
【００１５】
しかし、このようなカテーテル１２を患部１０に入れる施術には、その端部を脳室９に正確な経路に沿って入れるべきであり、誤ると経路の周囲の脳組織を損傷させるため、高度な熟練を要する。これを防止するために、脳正位機器（図示せず）を使用するが、これのためにはカテーテル１２の外部に突出部がなく均一に構成されなければならない。
【００１６】
しかし、前記カテーテル１２は、前記薬物移送管１８に対して薬物注入管２２を連結して別途の連結部材２４を介して連結する構造であるため、連結部位とＹ字形状で分岐された薬物注入管２２がカテーテル１２外部に突出するので、この機器を使用できないだけでなく、頭蓋骨６と皮膚２との間でカテーテル１２の後端部のトンネリングも難しく施術をより難しくかつ複雑にさせる問題があった。
【先行技術文献】
【特許文献】
【００１７】
【特許文献１】韓国特許登録第１０−０１７８１１３号
【発明の概要】
【発明が解決しようとする課題】
【００１８】
本発明は、前記の従来技術の事情を勘案して構成されたもので、薬物と体液を互いに異なる経路を介して移送させる従来カテーテル構造の長所をそのまま発揮しながら、カテーテルの外径を一定にしてカテーテルの端部を脳室に正確に位置させるのに有用な脳正位機器を使用し易くして、頭蓋骨と皮膚との間の迂回空間でカテーテルの後端部のトンネリングし易くして、施術を簡単かつ容易にできるようにして、施術安全度を大きく高めた頭蓋腔用カテーテル装置を提供することにその目的がある。
【課題を解決するための手段】
【００１９】
前記の目的を達成するために、本発明の好ましい実施形態によると、血腫や脳脊髄液を含む体液を外部に排出させるための排出管１４が中央に形成され、その排出管１４の前端部には複数の排出孔１６が形成されて、その排出管１４の外側所定部で薬物移送管１８が形成されて、薬物移送管１８の後端部は、栓部材３４で閉鎖されていて、脳室９にカテーテルを設置した後、所定部にプラスチック管４８を刺して薬物を注入することができるようになったカテーテル３０と；前記プラスチック管４８に延長チューブ６０を結合させた状態で、そのプラスチック管４８と延長チューブ６０が離脱しないように掴む結束部材６２で構成されたことを特徴とする頭蓋腔用カテーテル装置が提供される。
【００２０】
好ましくは、前記薬物移送管１８は、その後端側所定部にプラスチック管４８が挿入され得る孔が穿孔されて、その孔を臨時閉鎖用パッキング３２が凹入されて臨時的に閉鎖することになったことを特徴とする頭蓋腔用カテーテル装置が提供される。
【００２１】
好ましくは、前記プラスチック管４８は、前記薬物移送管１８の連結部で緩やかに折り曲げられ得る合成樹脂材質の管であり、折れるのを防止するためにシリコンチューブで重ねてかぶせられて、反対側端にはルアーコネクターが連結されて、再びスワバブルバルブ（Ｓｗａｂａｂｌｅ  Ｖａｌｖｅ）やヘパリンキャップ（Ｈｅｐａｒｉｎｅ  ｃａｐ）が装着されることを特徴とする頭蓋腔用カテーテル装置が提供される。
【発明の効果】
【００２２】
本発明に係る頭蓋腔用カテーテル装置は、カテーテルの外径が突出部上がなくて脳正位機器を使って患部の脳室に正確にカテーテルの端部を容易に位置され、頭蓋骨上部と皮膚間の迂回空間を介してカテーテルを折り曲げられるように誘導手術しやすくて穿孔部を介して頭蓋腔外部にカテーテルの後端部を流出させ易いとの長所がある。
【図面の簡単な説明】
【００２３】
【図１】従来の実施形態に係るカテーテルの手術状態を図示した側断面図である。
【図２】従来の実施形態に係る頭蓋腔用カテーテルを図示した側断面図である。
【図３】本発明の一実施形態に係る頭蓋腔用カテーテルを図示した側断面図である。
【図４】本発明の一実施形態に係る頭蓋腔用カテーテル装置に結束部材が構成された図面である。
【図５】プラスチック管と、延長チューブ及び注射器の結合状態を図示した図面である。
【図６Ａ】図４の結束部材の結合状態を図示した斜視図である。
【図６Ｂ】図４の結束部材の結合状態を図示した斜視図である。
【図６Ｃ】図４の結束部材の結合状態を図示した斜視図である。
【発明を実施するための形態】
【００２４】
以下、本発明について図面を参照して詳細に説明する。
【００２５】
図３は、本発明の一実施形態に係る頭蓋腔用カテーテルを図示した側断面図で、図４は、本発明の一実施形態に係る頭蓋腔用カテーテル装置に結束部材が構成された図面、図５は、プラスチック管と、延長チューブ及び注射器の結合状態を図示した図面、図６Ａ、６Ｂ、６Ｃは、図４の結束部材の結合状態を図示した斜視図である。
【００２６】
これを参照すると、本発明の一実施形態に係る頭蓋腔用カテーテル装置は、薬物と体液を互いに異なる経路を介して移送させるようにする従来カテーテル構造の長所をそのまま発揮しながら、カテーテルの外径を一定にしてカテーテルの端部を脳室に正確に位置させるのに有用な脳正位機器を使用し易くして、頭蓋骨と皮膚との間の迂回空間でカテーテルの後端部の皮下組織トンネリングし易くなることによって、施術を簡単かつ容易にできるようにして施術安全度を大きく高めた装置である。
【００２７】
より詳細には、本発明の一実施形態に係る頭蓋腔用カテーテル装置は、頭蓋腔用カテーテル３０（Ｃａｔｈｅｔｅｒ）と、プラスチック管４８及び延長チューブ６０と、結束部材６２からなる。
【００２８】
前記頭蓋腔用カテーテル３０（Ｃａｔｈｅｔｅｒ）は、血腫や脳脊髄液を含む体液を外部に排出させるための排出管１４が中央に形成されていて、その排出管１４の前端部には複数の排出孔１６が形成されていて、その排出管１４の外側所定部で薬物移送管１８が形成されていて、薬物移送管１８の後端部は、栓部材３４で閉鎖されていて、脳室９にカテーテルを設置した後、所定部にプラスチック管４８を刺して薬物を注入することができるようにしたカテーテルである。
【００２９】
前記プラスチック管４８に延長チューブ６０を結合させた状態で、その頭蓋腔用カテーテル３０（Ｃａｔｈｅｔｅｒ）とプラスチック管４８及び延長チューブ６０が離脱しないように掴む結束部材６２が構成される。
【００３０】
すなわち、前記排出管１４は、前記薬物移送管１８よりもその径が大きくて、血腫や脳脊髄液を含む体液を外部に排出させるが、前記排出管１４の後端部にはコネクター３６を媒介にして別途の体液保存バック（図示せず）が結合されている。
【００３１】
また、前記プラスチック管４８は、前記薬物移送管１８の連結部で緩やかに折り曲げられることができる合成樹脂材質の管であり、折れるのを防止するためにシリコンチューブで重ねて被せられて、反対側端にはルアーコネクターと、スワバブルバルブ（Ｓｗａｂａｂｌｅ  Ｖａｌｖｅ）やヘパリンキャップ（Ｈｅｐａｒｉｎｅ  ｃａｐ）が装着される。
【００３２】
一方、前記薬物移送管１８は、前記排出管１４よりは小さい径からなり、前記頭蓋腔外から頭蓋腔内に血腫溶解剤または抗生剤、或いは生理食塩水のような薬物を注入するための構成で、別途のＹ字形状の管で分岐されていないので、カテーテルの外部の太さを一定にして脳正位機器を使用し易く穿刺針を使用して皮下組織トンネリングし易くて前記頭蓋腔用カテーテル３０を簡単に折り曲げられるように施術することができる。
【００３３】
好ましくは、前記薬物移送管１８は、その後端側所定部にプラスチック管４８が挿入可能な挿入孔３１が穿孔されていて、臨時閉鎖用パッキング３２がその挿入孔３１を臨時に塞いでいる。
【００３４】
すなわち、本発明の一実施形態に係る頭蓋腔用カテーテル３０に構成された前記薬物移送管１８は、その後端側所定部にプラスチック管４８が挿入可能な孔が穿孔されられていて、その孔を臨時閉鎖用パッキング３２が凹入されて臨時的に閉鎖するように構成され、
また、予め前記臨時閉鎖用パッキング３２が挿入可能な挿入孔３１が穿孔されて、臨時的に臨時閉鎖用パッキング３２がその挿入孔３１を塞いでいるので、施術時前記臨時閉鎖用パッキング３２だけ除去して、前記プラスチック管４８をその挿入孔３１を介して薬物移送管１８内部までだけ挿入すれば挿入工程が完了するので、施術者が誤って隣りの排出管１４にまで突き抜けるような失敗をしないように注意を払わなければならない煩わしさがなくなる。
【００３５】
一方、前記プラスチック管４８は、前記薬物移送管１８の内部で一定角度で折り曲げられるように合成樹脂材質のチューブであり、折れるのを防止して、挿入の深さを一定にするために、シリコンチューブで重ねて被せられる。
【００３６】
すなわち、前記プラスチック管４８は、合成樹脂からなる管である。
【００３７】
この時、前記プラスチック管４８は、フレキシブルな状態であるため、前記薬物移送管１８の内部に流入される時、薬物移送管１８に斜めに刺し入れると、前記プラスチック管４８が前記薬物移送管１８の内部に流入し易くなる。
【００３８】
一方、本発明の一実施形態に係る頭蓋腔用カテーテル装置は、前記プラスチック管４８と延長チューブ６０及び前記頭蓋腔用カテーテル３０をより堅実に結束させた状態で施術を行えるようにする結束部材６２がさらに構成される。
【００３９】
この時、前記延長チューブ６０の端部にはルアーコネクター６１が構成される。
【００４０】
また、前記結束部材６２は、第１、２本体６２ａ、６２ｂが互いに向かい合う状態でヒンジを中心に回転して締結されたりまたは分離する構造を持っているが、前記第２本体６２ｂは、第１本体６２ａに対するカバーの役割を果たすため、平面パネルで構成される。
【００４１】
前記第１本体６２ａは内部に、前記カテーテル３０が通過する第１挿入孔７０が、本体の上面から下面を貫いて形成されて、前記プラスチック管４８と延長チューブ６０が挿入される第２挿入孔７２が形成される。
【００４２】
前記第１、２挿入孔７０、７２は図６Ａ、６Ｂ、６Ｃに示したように、前記プラスチック管４８と延長チューブ６０が、前記第２挿入孔７２を介して前記第１挿入孔７０に結合した前記カテーテル３０の内部に流入できるようにＹ字形態で構成される。
【００４３】
前記延長チューブ６０は、その材質がシリコンであることが好ましい。
【００４４】
前記第１、２本体６２ａ、６２ｂは、各第１、２本体６２ａ、６２ｂが互いに結合されて締められたりまたは締めが解除させるロック手段６６がさらに構成されることが好ましい。
【００４５】
より好ましくは、前記第１、２本体６２ａ、６２ｂは、前記第１、２挿入孔７０、７２が形成された側面を各々互いに当接した状態で広げられたり閉じられるように、その一面にちょうつがい（図示せず）が形成されられていて、そのちょうつがいの反対面にはロック手段６６が形成されている。
【００４６】
究極的に、本発明の実施形態に係る頭蓋腔用カテーテル装置は、前記結束部材６２の内部にカテーテル３０とプラスチック管４８と延長チューブ６０を結合して入れて、ルアーコネクター６１とスワバブルバルブまたはヘパリンキャップをその延長チューブ６０に連結した状態で一体化になるよう結束させるので、追加的な補助施術者が必要ではない。
【００４７】
一方、本発明の実施形態に係る頭蓋腔用カテーテル装置は、単に前記の実施形態に限定されるのではなく、その技術的要旨を離脱しない範囲内で多様な変更が可能となる。
【符号の説明】
【００４８】
１４      排出管
１６      排出孔
１８      薬物移送管
３０      頭蓋腔用カテーテル
３２      臨時閉鎖用パッキング
６０      延長チューブ
６２      結束部材
【図１】
2017000738.tif 000003
【図２】
2017000738.tif 000004
【図３】
2017000738.tif 000005
【図４】
2017000738.tif 000006
【図５】
2017000738.tif 000007
【図６Ａ】
2017000738.tif 000008
【図６Ｂ】
2017000738.tif 000009
【図６Ｃ】
2017000738.tif 000010